(57)【要約】【課題】  灯具全体のコンパクト化および重量の軽減を図ることができると共に、優れた配光性能を安定して得ることができること。【解決手段】  光源は、複数個の小リフレクタ１４の各々の小凹面鏡７の第１焦点Ｆ１の近傍に１個ずつ設定される複数個のＬＥＤ１１であり、小リフレクタ１４は、小凹面鏡７を一体に形成した樹脂製の上部リフレクタ１２と、小凸レンズ６とシェード４を一体に形成し上部リフレクタ１２に下側から結合する樹脂製の下部リフレクタ１３とを有して構成されており、両リフレクタ１２、１３を結合し、ＬＥＤ１１を上部リフレクタ１２に固定して小リフレクタ１４毎に小プロジェクタ型灯具１０を構成し、複数個の小リフレクタ１４で構成される複数個の小プロジェクタ型灯具１０をハウジング２０内に組み込んだ。【選択図】      図７
2005243592.tif 000002
【特許請求の範囲】
【請求項１】
凹面鏡の第１焦点の近傍に設けられる光源と、前記光源から出射して前記凹面鏡で反射された光束をほぼ平行な光束に調光して灯具前方に出射する凸レンズとを備えたプロジェクタ型車両用灯具であって、
前記光源は、複数個の小リフレクタの各々に回転楕円曲面あるいは回転楕円を基本にした自由曲面として形成される小凹面鏡の第１焦点の近傍に、前記小凹面鏡に発光部を対向させて１個ずつ設定される複数個のＬＥＤで構成されており、
前記小リフレクタは、前記小凹面鏡を一体に形成した樹脂製の上部リフレクタと、シェードを一体に形成し前記上部リフレクタに下側から結合する樹脂製の下部リフレクタと、前記上部および下部リフレクタのいずれか一方に一体に形成され前記両リフレクタの結合の際前記小リフレクタの前開口部を覆うようにして取り付けられる樹脂製の小凸レンズとを有して構成されており、
前記上部リフレクタと前記下部リフレクタとを結合すると共に、前記ＬＥＤを前記上部リフレクタに固定して前記小リフレクタ毎に小プロジェクタ型灯具を構成し、
前記複数個の小リフレクタで構成される複数個の小プロジェクタ型灯具をハウジング内に組み込んだことを特徴とするプロジェクタ型車両用灯具。
【請求項２】
請求項１記載のプロジェクタ型車両用灯具であって、
前記上部リフレクタには、光源固定部が一体に形成されており、
前記ＬＥＤは、サブアッシ部材として、前記光源固定部を介して前記上部リフレクタに固定されていることを特徴とするプロジェクタ型車両用灯具。
【請求項３】
請求項１または２記載のプロジェクタ型車両用灯具であって、
前記小凸レンズは、両凸レンズで構成されていることを特徴とするプロジェクタ型車両用灯具。
【発明の詳細な説明】
【技術分野】
【０００１】
本発明は、例えばヘッドランプとして適用される、光源としてＬＥＤ（発光ダイオード）を用いたプロジェクタ型車両用灯具に関する。
【背景技術】
【０００２】
図１２は、この種のプロジェクタ型車両用灯具１００を示す（例えば、特許文献１参照）。この車両用灯具１００は、凹面鏡１の第１焦点の近傍に設けられる光源バルブ２と、光源バルブ２から出射して凹面鏡１で反射された光束をほぼ平行な光束に調光して灯具前方に出射する凸レンズ３とを備えて大略構成されている。
【０００３】
詳しくは、車両用灯具１００は、光源バルブ２と凸レンズ３との間にシェード４が設けられており、このシェード４によりすれ違い用のビームとして好適なカットラインを有する配光パターンを得ることができる。
【０００４】
光源バルブ２は、そのフィラメントを凹面鏡１の第１焦点に位置させると共に、その電気接続部を筒状開口部１ａに嵌着して取り付けられている。凹面鏡１の開放端にはフレーム５が取り付けられており、フレーム５には凸レンズ３が固着されると共に、シェード４を支承している。
【０００５】
さらに車両用灯具１００は、図１３に示すように、凹面鏡１の光源バルブ２の装着用の筒状開口部１ａに直近の上方に換気用の透孔１ｂが、同じく直近の下方に換気用の透孔１ｃがそれぞれ設けられている。
【０００６】
そして車両用灯具１００は、点灯時光源バルブ２の周辺が高温になるが、その熱はこれら透孔１ｂ、１ｃ間で生じる熱対流により放熱されるので、光源バルブ２の周辺の昇温が抑制される。
【特許文献１】実願平４−７６３２２号（実開平６−４１０１０号）のマイクロフィルム
【発明の開示】
【発明が解決しようとする課題】
【０００７】
しかしながら、車両用灯具１００においては、光源バルブ２の出射光が高い熱エネルギーを持っているので、凸レンズ３はガラスで形成しなければならず、そのため灯具重量の増大を招く、という課題を有している。
【０００８】
また、車両用灯具１００では、例えば、凹面鏡１がアルミ蒸着板、樹脂、あるいは鉄板で形成されており、凸レンズ３がガラスで形成されており、シェード４がアルミ蒸着板、あるいは鉄板で形成されており、フレーム５がアルミ蒸着板で形成されている。このように、車両用灯具１００は、各部品に使われている材料が異なるため、各部品を別々に作り、これら複数の部品を組み付ける必要があるが、精度を必要としている光軸方向の寸法が、アッシ（Ａｓｓｙ）バラツキや部品寸法バラツキにより、設計値通りになりぬくく、ひいては配光性能についてのバラツキが大きくなる、という課題を有している。
【０００９】
また、車両用灯具１００は、部品点数が多く、これにより部品管理が煩雑で、組み付け工数も増大し、ひいてはコスト高を招く、という課題を有している。
【００１０】
さらには、車両用灯具１００は、透孔１ｂ、１ｃが設けられた、凹面鏡１の中央部付近の反射性能が低下し、ひいては配光パターン中央部のホットゾーンの照度が低下する、という課題をも有している。
【００１１】
そこで、本発明は、灯具重量の軽減および部品点数の削減を図ることができると共に、優れた配光性能を安定して得ることができ、かつ凹面鏡の反射性能を最大限発揮して配光パターンのホットゾーンの充分な照度を得ることが可能なプロジェクタ型車両用灯具を提供することを目的としている。
【課題を解決するための手段】
【００１２】
前記した目的を達成するため、請求項１記載の発明は、凹面鏡の第１焦点の近傍に設けられる光源と、前記光源から出射して前記凹面鏡で反射された光束をほぼ平行な光束に調光して灯具前方に出射する凸レンズとを備えたプロジェクタ型車両用灯具であって、
前記光源は、複数個の小リフレクタの各々に回転楕円曲面あるいは回転楕円を基本にした自由曲面として形成される小凹面鏡の第１焦点の近傍に、前記小凹面鏡に発光部を対向させて１個ずつ設定される複数個のＬＥＤで構成されており、
前記小リフレクタは、前記小凹面鏡を一体に形成した樹脂製の上部リフレクタと、シェードを一体に形成し前記上部リフレクタに下側から結合する樹脂製の下部リフレクタと、前記上部および下部リフレクタのいずれか一方に一体に形成され前記両リフレクタの結合の際前記小リフレクタの前開口部を覆うようにして取り付けられる樹脂製の小凸レンズとを有して構成されており、
前記上部リフレクタと前記下部リフレクタとを結合すると共に、前記ＬＥＤを前記上部リフレクタに固定して前記小リフレクタ毎に小プロジェクタ型灯具を構成し、
前記複数個の小リフレクタで構成される複数個の小プロジェクタ型灯具をハウジング内に組み込んだことを特徴とする。
【００１３】
このため、請求項１記載の発明では、ＬＥＤの光は、各小プロジェクタ型灯具毎に、小凹面鏡に向かって出射すると共に、この小凹面鏡で反射されて小凸レンズに達し、かつ小凸レンズを通過することによって、平行な光束に調光されて車両用灯具の前方へ出射し、複数個の小プロジェクタ型灯具により総じて所望の配光パターンを奏することができる。
【００１４】
また、光源として適用したＬＥＤは、それ自体小型であるので、取付に要するスペースを節約することができ、かつその出射光の熱エネルギーもフィラメント付き光源に比べて小さいので、灯室の過度の温度上昇を避けることができると共に、小凸レンズおよび小リフレクタを樹脂製にすることができる。
【００１５】
また、小凸レンズおよび小リフレクタは、樹脂製であるので、鉄板やアルミ蒸着板を用いたものに比べ、軽量で、かつ寸法精度良く形成することができる。
【００１６】
また、小リフレクタを構成する一方の上部リフレクタには、小凹面鏡が一体に形成されると共に、他方の下部リフレクタには、シェードが一体に形成されており、かつ上部および下部リフレクタのいずれか一方には小凸レンズが一体に形成されているので、部品点数を少なくすることができると共に、光学的に位置関係の重要な小凸レンズ、小凹面鏡、ＬＥＤ、およびシェードの相対的な位置を精度良く設定することができる。
【００１７】
また、請求項２記載の発明は、請求項１記載のプロジェクタ型車両用灯具であって、
前記上部リフレクタには、光源固定部が一体に形成されており、
前記ＬＥＤは、サブアッシ部材として、前記光源固定部を介して前記上部リフレクタに固定されていることを特徴とする。
【００１８】
このため、請求項２記載の発明では、ＬＥＤのサブアッシ部材を、光源固定部を介して上部リフレクタに固定することにより、ＬＥＤの発光部を小凹面鏡の第１焦点の近傍に精度良く設定することができる。
【００１９】
また、請求項３記載の発明は、請求項１または２記載のプロジェクタ型車両用灯具であって、
前記小凸レンズは、両凸レンズで構成されていることを特徴とする。
【００２０】
このため、請求項３記載の発明では、小凸レンズを両凸レンズで構成することにより、その焦点距離が短くなり、小凸レンズは自らの焦点を小凹面鏡の第２焦点に略合致させて設定されるものであるから、小凸レンズとシェードとの離間距離を短く設定することができ、その分小プロジェクタ型灯具の光軸に沿う全長を短くすることができる。
【発明の効果】
【００２１】
以上、詳述したように、請求項１記載の発明によれば、光源として適用したＬＥＤは、それ自体小型であるので、取付に要するスペースを節約して小リフレクタを小型化することができ、かつその出射光の熱エネルギーもフィラメント付き光源に比べて小さいので、灯室の過度の温度上昇を避けることができると共に、小凸レンズおよび小リフレクタを樹脂製にすることができ、総じて車両用灯具全体のコンパクト化および重量の軽減を図ることができる。
【００２２】
また、請求項１記載の発明によれば、小凹面鏡に換気用の孔を穿設する必要がないので、小凹面鏡の反射性能を最大限発揮して小凸レンズを介して出射する光束量を増大させることができ、これにより配光パターンのホットゾーンの充分な照度を得ることができ、ひいては走行車線の視認性を向上させることができる。
【００２３】
また、請求項１記載の発明によれば、小凸レンズおよび小リフレクタは、樹脂製であるので、鉄板やアルミ蒸着板を用いたものに比べ、寸法精度良く形成することができること、および小リフレクタを構成する一方の上部リフレクタには、小凹面鏡が一体に形成されると共に、他方の下部リフレクタには、シェードが一体に形成されており、かつ上部および下部リフレクタのいずれか一方には小凸レンズが一体に形成されていることにより、部品点数を少なくすることができると共に、光学的に位置関係の重要な小凸レンズ、小凹面鏡、ＬＥＤ、およびシェードの相対的な位置を精度良く設定することができ、ひいては光学的に優れた小プロジェクタ型灯具を品質の安定したものとして形成することができる。
【００２４】
さらに、請求項１記載の発明によれば、部品点数が少ないので、部品管理も容易で、容易に組み立てることができ、ひいてはコストの低減化をも図ることができる。
【００２５】
また、請求項２記載の発明によれば、ＬＥＤのサブアッシ部材を、光源固定部を介して上部リフレクタに固定することにより、ＬＥＤの発光部を小凹面鏡の第１焦点の近傍に精度良く設定することができるので、請求項１記載の発明の効果に加えて、光学的に位置関係の重要な小凸レンズ、小凹面鏡、ＬＥＤ、およびシェードの相対的な位置をさらに精度良く設定することができる。
【００２６】
また、請求項３記載の発明によれば、小凸レンズとシェードとの離間距離を短く設定することができ、その分小プロジェクタ型灯具の光軸に沿う全長を短くすることができるので、請求項１または２記載の発明の効果に加えて、灯具全体のコンパクト化を容易に図ることができる。
【発明を実施するための最良の形態】
【００２７】
以下、本発明を、その実施の形態に基づいて説明する。なお、図１２、図１３に開示したものと同一機能を奏する構成要素は、同一符号を付して説明する。
【００２８】
図１〜図３は、本発明のプロジェクタ型車両用灯具Ａを示す。この車両用灯具Ａは、ＬＥＤ１１を光源とする複数個の小プロジェクタ型灯具１０ａ、１０ｂ、１０ｃ、１０ｄ、１０ｅ、１０ｆ、１０ｇ、１０ｈ、１０ｉ、１０ｊを１個のハウジング２０内に組み込んで大略構成されている。なお、小プロジェクタ型灯具は、以下代表例で示すときは、符号１０で示す。
【００２９】
ハウジング２０は、前部を開口したケーシング２２と、ケーシング２２の開口部を覆う素通しガラス２１とから構成されている。そして、複数個の小プロジェクタ型灯具１０ａ〜１０ｊは、取付具２３を介してケーシング２２に固着されることによってハウジング２０内に組み込まれている。このとき、取付具２３は、図外の２個のアジャストスクリュウとピボット構造とにより、複数個の小プロジェクタ型灯具１０ａ〜１０ｊの全体を上下左右に光軸調整可能にケーシング２２に支持されている。なお、図１および図２中、符号２６、２７は、それぞれクリアランスランプ、フロントターンランプである。
【００３０】
また、小プロジェクタ型灯具１０ａ〜１０ｊは、その取付位置によって、例えば次の配光パターンが得られるように設計される。
【００３１】
図６は、その配光パターンで、（ａ）は水平拡散タイプ（第１配光パターン）、（ｂ）は集光フラットタイプ（第２配光パターン）、（ｃ）はすれ違いビームのカットラインを有する水平拡散タイプ（第３配光パターン）、（ｄ）はすれ違いビームのカットラインを有する集光フラットタイプ（第４配光パターン）をそれぞれ示す。
【００３２】
そして、小プロジェクタ型灯具１０ａ〜１０ｊ中、小プロジェクタ型灯具１０ａ、１０ｃ、１０ｄ、１０ｇは、第３配光パターン（図６（ｃ）参照）が得られるように設計され、小プロジェクタ型灯具１０ｂ、１０ｅ、１０ｆは、第４配光パターン（図６（ｄ）参照）が得られるように設計され、小プロジェクタ型灯具１０ｈ、１０ｉ、１０ｊは、第１配光パターン（図６（ａ）参照）が得られるように設計される。そして車両用灯具Ａは、総じて、図９に示す、すれ違いビームに適した配光パターンＬＰを奏することができる。
【００３３】
詳しくは、車両用灯具Ａにおいては、光源は、図７に示すように、複数個の小リフレクタ１４の各々に回転楕円曲面あるいは回転楕円を基本にした自由曲面として形成される小凹面鏡７の第１焦点Ｆ１の近傍に、小凹面鏡７に発光部１１ａを対向させて１個ずつ設定される複数個のＬＥＤ１１で構成されている。
【００３４】
小リフレクタ１４は、図４および図７に示すように、小凹面鏡７を一体に形成した樹脂製の上部リフレクタ１２と、シェード４を一体に形成し上部リフレクタ１２に下側から結合する樹脂製の下部リフレクタ１３と、上部および下部リフレクタ１２および１３のいずれか一方に一体に形成され両リフレクタ１２、１３の結合の際小リフレクタ１４の前開口部を覆うようにして取り付けられる樹脂製の小凸レンズ６とを有して構成されている。
【００３５】
本実施形態では、小凸レンズ６は、片凸レンズで、下部リフレクタ１３に一体に形成されている。樹脂材は、例えば、ポリカーボネート樹脂、アクリル樹脂が用いられ、特に小凸レンズ６を一体に形成するリフレクタ用としては、光学的特性の優れたアクリル樹脂が用いられる。
【００３６】
具体的には、上部リフレクタ１２は、その後部側に小凹面鏡７を形成すると共に、小凹面鏡７の前端部分に連続させて小凹面鏡７よりも大径の上部ケーシング部１５が形成されると共に、さらにこの上部ケーシング部１５の前端の内周に沿って上側固定部１５ａが溝状に形成されており、かつ内面に反射部材を蒸着することによって全体構成されている。
【００３７】
また、下部リフレクタ１３は、シェード４と下部ケーシング部１６とを備えて構成されている。シェード４は、逆Ｌ字状の断面を有して下部ケーシング部１６の後端部分に立設させて形成されており、上部の折曲エッジ部４ａがメリジオナル像面に沿って形成されると共に、その上辺部に相当する略水平な反射面４ｂが、図６の第１〜第４配光パターンにしたがって、図９のカットラインＣＬの相似形状に形成されたり、あるいは平坦面に形成されたりする。
【００３８】
また、小凸レンズ６は、その下側半円部分の外周縁部を、下部ケーシング部１６の先端部分に連続させて、シェード４に対向するように一体に設けられている。このとき小凸レンズ６の上側半円部分の外周縁部は、薄肉状のフランジ部６ａに形成されている。
【００３９】
そして、下部リフレクタ１３は、小凸レンズ６以外のシェード４を含めた全内面（反射面４ｂも含めて）に反射部材を蒸着することによって全体構成されている。
【００４０】
そして小プロジェクタ型灯具１０は、上部リフレクタ１２の上側固定部１５ａに小凸レンズ６のフランジ部６ａを嵌着すると共に、両リフレクタ１２、１３をそれぞれの外周部に形成したフランジ部１２ａ、１３ａを当接させて結合手段により結合し、かつ小凹面鏡７に発光部１１ａを対向させてＬＥＤ１１を上部リフレクタ１２に固着することにより構成される。
【００４１】
これにより、小リフレクタ１４は、両ケーシング部１５、１６により閉鎖断面に構成された前側灯室１４ａと、小凹面鏡７と反射面４ｂにより閉鎖断面に構成された前部と、小凹面鏡７のみによる略半円形断面の後部とにより構成された後側灯室１４ｂとを有して構成されることになり、ＬＥＤ１１は後側灯室１４ｂの後部に固着されることになる。このとき、シェード４の折曲エッジ部４ａは、小凹面鏡７の第２焦点Ｆ２の付近に位置しており、ＬＥＤ１１の発光部１１ａは、小凹面鏡７の第１焦点Ｆ１の付近に位置している。
【００４２】
このとき、ＬＥＤ１１は、その発光部１１ａを、小凸レンズ６の中心部位と第１焦点Ｆ１を通る灯具１０の光軸Ｚに対して略直交方向に配置して設置されている。図８は、ＬＥＤ１１の発光部１１ａから出射される光の出射パターンＬ０を示しており、図７（ｂ）の破線は、その出射パターンＬ０の光の小凹面鏡７への入射状態を示している。
【００４３】
また、このときの結合手段は、ねじ８と、上部リフレクタ１２のフランジ部１２ａに穿設したねじ孔１７と、下部リフレクタ１３に一体に設けられた結合ボス部１８とにより構成されており、ねじ８を、ねじ孔１７（図７（ａ）参照）を透通させて結合ボス部１８（図４参照）に螺合させることによって、両リフレクタ１２、１３を結合することができる。
【００４４】
そして、車両用灯具Ａは、複数個の小リフレクタ１４で構成される複数個の小プロジェクタ型灯具１０ａ〜１０ｊをハウジング２０内に組み込んで全体構成される。
【００４５】
車両用灯具Ａは、複数個の小プロジェクタ型灯具１０ａ〜１０ｊを、小プロジェクタ型灯具１０で構成するものであり、図３および図４に示すように、第１取付具２３ａ、第２取付具２３ｂ、および第３取付具２３ｃからなる取付具２３を適宜用いて、小凸レンズ６を素通しガラス２１に対向させると共に、上部および下部リフレクタ１２および１３をそれぞれ上側および下側になるようにしてケーシング２２に取り付けられる。
【００４６】
このようにして構成された車両用灯具Ａにおいては、ＬＥＤ１１の光Ｌは、図７（ｂ）に示すように、その発光部１１ａから小凹面鏡７の反射面に向かって出射すると共に、小凹面鏡７の反射面で反射された後、小凹面鏡７の第２焦点Ｆ２の位置に形成したシェード４に集光し、集光した光の内一部がシェード４に遮られると共に他の一部は反射面４ｂで反射されて、大部分の光がカットラインを備えた配光パターンとなって車両用灯具Ａの前方に投光される。反射面４ｂでの反射は、前方へ投光される光束量の増加を招き、ひいては照度向上に寄与する。
【００４７】
図９は、このときの配光パターンＬＰを示しており、この配光パターンＬＰは、カットラインＣＬの形成により、すれ違い用のビームとして好適なものとなっている。その上、小凹面鏡７に温度調整用の孔を穿設する必要がないので、小凹面鏡７の反射性能を最大限発揮することができ、反射面４ｂの反射と相俟ってホットゾーンＬＰ１の照度を向上させることができる。
【００４８】
また、光源として適用したＬＥＤ１１は、それ自体小型であるので、取付に要するスペースを節約して小リフレクタ１４を小型化することができ、かつその出射光Ｌの熱エネルギーもフィラメント付き光源（図１２の光源バルブ２参照）に比べて小さいので、灯室の過度の温度上昇を避けることができると共に、小凸レンズ６および小リフレクタ１４を樹脂製にすることができ、総じて車両用灯具Ａのコンパクト化および重量の軽減を図ることができる。
【００４９】
また、小凸レンズ６および小リフレクタ１４は、樹脂製であるので、鉄板やアルミ蒸着板を用いたものに比べ、寸法精度良く形成することができる。
【００５０】
また、小リフレクタ１４を構成する一方の上部リフレクタ１２には、小凸レンズ６の上側固定部１５ａ、および小凹面鏡７が一体に形成されており、かつ他方の下部リフレクタ１３には、小凸レンズ６およびシェード４が一体に形成されているので、両リフレクタ１２、１３の相互結合により光学的に位置関係の重要な小凸レンズ６、小凹面鏡７、ＬＥＤ１１、およびシェード４の相対的な位置を精度良く決定することができ、ひいては光学的に優れた小プロジェクタ型灯具１０を品質の安定したものとして形成することができる。
【００５１】
さらに、小プロジェクタ型灯具１０は、小凸レンズ６、小凹面鏡７、およびシェード４を、両リフレクタ１２、１３のいずれかに一体に形成したので、部品点数が少ない構成となっており、部品管理も容易で、容易に組み立てることができ、ひいてはコストの低減化をも図ることができる。
【００５２】
また、好ましくは、本実施形態のように、上部リフレクタ１２には、光源固定部１９が一体に形成されており、ＬＥＤ１１は、サブアッシ部材として、光源固定部１９を介して上部リフレクタ１２に固定される。
【００５３】
ＬＥＤ１１は、図４および図５に示すように、取付板９に固着されてサブアッシされており、取付板９を上部リフレクタ１２の後側の小凹面鏡７の両側部分に設けた光源固定部１９にねじ２４で結合することにより、その発光部１１ａを小凹面鏡７に対向させて取り付けられる。図４および図５中、符号２５は４本のリード線で、内２本がＬＥＤ１１のリード線で、他の２本が冷却素子用である。
【００５４】
光源固定部１９は、中央にねじ孔を有するボス部として、後側灯室１４ｂの後部を構成する小凹面鏡７の両側のフランジ部１２ａの裏面側に形成されている。ＬＥＤ１１のサブアッシ部材を、この光源固定部１９を介して上部リフレクタ１２に固定することによって、ＬＥＤ１１の発光部１１ａが小凹面鏡７の第１焦点Ｆ１の近傍に精度良く位置するようになる。
【００５５】
このため、小プロジェクタ型灯具１０は、その光学的に位置関係の重要な小凸レンズ６、小凹面鏡７、ＬＥＤ１１、およびシェード４の相対的な位置をさらに精度良く決定することができる。
【００５６】
図１０は、他の実施形態としての小プロジェクタ型灯具１０Ａを示す。この小プロジェクタ型灯具１０Ａは、小凸レンズ６を上部リフレクタ１２に一体に形成した点が相違するだけで、他の構成は小プロジェクタ型灯具１０と同様に構成されている。
【００５７】
このとき小凸レンズ６は、その上側半円部分の外周縁部を、上部ケーシング部１５の先端部分に連続させて上部リフレクタ１２に一体に設けられており、その下側半円部分の外周縁部は、薄肉状のフランジ部６ａに形成されている。下部リフレクタ１３は、シェード４と下部ケーシング部１６とを備えて構成されており、下部ケーシング部１６の前端には、その内周に沿って下側固定部１６ａが溝状に形成されている。
【００５８】
そして、小凸レンズ６は、両リフレクタ１２、１３の結合の際、フランジ部６ａを下側固定部１６ａに嵌着させることによって、小リフレクタ１４の前開口部を覆うようにして取り付けられる。
【００５９】
この小プロジェクタ型灯具１０Ａで構成されるプロジェクタ型車両用灯具Ａは、小プロジェクタ型灯具１０で構成されるプロジェクタ型車両用灯具と同様な作用効果を奏することができる。
【００６０】
図１１は、さらに他の実施形態としての小プロジェクタ型灯具１０Ｂを示す。この小プロジェクタ型灯具１０Ｂは、小凸レンズ６の形状が異なるだけで、他の構成は小プロジェクタ型灯具１０と同様に構成されている。
【００６１】
小プロジェクタ型灯具１０Ｂの小凸レンズ６は、両凸レンズで構成されている。
【００６２】
この構成では、小凸レンズ６の焦点距離が短くなり、小凸レンズ６は自らの焦点を小凹面鏡７の第２焦点Ｆ２に略合致させて設定されるものであるから、小凸レンズ６とシェード４との離間距離ｄ（＜片凸レンズ６とシェード４との離間距離Ｄ（図１０参照））を短く設定することができ、その分小プロジェクタ型灯具１０Ｂの光軸Ｚに沿う全長を短くすることができる。
【００６３】
この小プロジェクタ型灯具１０Ｂで構成されるプロジェクタ型車両用灯具Ａは、小プロジェクタ型灯具１０で構成されるプロジェクタ型車両用灯具と同様な作用効果を奏することができることは勿論であるが、加えて小プロジェクタ型灯具１０Ｂの短くなった全長により灯具全体のコンパクト化を容易に図ることができる。
【図面の簡単な説明】
【００６４】
【図１】本発明の実施形態としてのプロジェクタ型車両用灯具の全体の正面図である。
【図２】図１のプロジェクタ型車両用灯具のＩＩ−ＩＩ線に沿う断面図である。
【図３】図１のプロジェクタ型車両用灯具のＩＩＩ−ＩＩＩ線に沿う断面図である。
【図４】図１のプロジェクタ型車両用灯具に適用される小プロジェクタ型灯具の分解側面図である。
【図５】図４の小プロジェクタ型灯具の光源に適用されるＬＥＤのサブアッシ部材の斜視図である。
【図６】図１のプロジェクタ型車両用灯具を構成する複数個の小プロジェクタ型灯具の各々の配光パターンで、（ａ）は水平拡散タイプ、（ｂ）は集光フラットタイプ、（ｃ）はカットラインを有するすれ違いビーム用水平拡散タイプ、（ｄ）はカットラインを有するすれ違いビーム用集光フラットタイプをそれぞれ示す。
【図７】本発明のプロジェクタ型車両用灯具を構成する一実施形態としての小プロジェクタ型灯具で、（ａ）はその平面図、（ｂ）は（ａ）のＶＩＩｂ−ＶＩＩｂ線に沿う断面図、（ｃ）は前方から見た正面図である。
【図８】図７の小プロジェクタ型灯具に適用したＬＥＤの出射光の出射パターンを示すグラフである。
【図９】図７の小プロジェクタ型灯具で構成されるプロジェクタ型車両用灯具の配光パターンを示すグラフである。
【図１０】本発明のプロジェクタ型車両用灯具を構成する他の実施形態としての小プロジェクタ型灯具で、図７（ｂ）に対応する断面図である。
【図１１】本発明のプロジェクタ型車両用灯具を構成するさらに他の実施形態としての小プロジェクタ型灯具で、図７（ｂ）に対応する断面図である。
【図１２】従来のプロジェクタ型車両用灯具の中央従断面図である。
【図１３】図１１のプロジェクタ型車両用灯具に適用された凹面鏡の正面図である。
【符号の説明】
【００６５】
４  シェード
６  小凸レンズ
７  小凹面鏡
９  取付板（サブアッシ部材）
１０  小プロジェクタ型灯具
１０ａ、〜、１０ｊ  小プロジェクタ型灯具
１１  ＬＥＤ
１１ａ  発光部（ＬＥＤの）
１２  上部リフレクタ
１３  下部リフレクタ
１４  小リフレクタ
１９  光源固定部
２０  ハウジング
Ａ  プロジェクタ型車両用灯具
Ｆ１  第１焦点（小凹面鏡の）
【図１】
2005243592.tif 000003
【図２】
2005243592.tif 000004
【図３】
2005243592.tif 000005
【図４】
2005243592.tif 000006
【図５】
2005243592.tif 000007
【図６】
2005243592.tif 000008
【図７】
2005243592.tif 000009
【図８】
2005243592.tif 000010
【図９】
2005243592.tif 000011
【図１０】
2005243592.tif 000012
【図１１】
2005243592.tif 000013
【図１２】
2005243592.tif 000014
【図１３】
2005243592.tif 000015